(57)【要約】【課題】発電パネルの固定と共に発電パネルのアース接地を確実に行える発電パネル用の固定金具を提供すること、等である。【解決手段】固定金具１０を挟んで隣接する発電パネル１同士と架台５とを電気的に接続可能な発電パネル用の固定金具１０は、架台５の溝部７に配置される下部固定金具１２と、フレーム枠３の係合端部３ａを上方から架台５に押圧して固定する上部固定金具１１と、下部固定金具１２と上部固定金具１１とを締結する締結ボルト１３とを備え、下部固定金具１２は、締結ボルト１３の締結動作に伴って上方に移動して架台５の溝部７の上壁部６ｃの下面を上方に押圧することで架台５と接触する架台接触部２３と、フレーム枠３の係合端部３ａの側面に接触し且つ締結ボルト１３の締結動作に伴って上方にスライドすることでフレーム枠３の表面を傷付けてフレーム枠３と電気的に接続状態となるフレーム枠接触部２４とを備えている。【選択図】図４
2016098595.tif 000002
【特許請求の範囲】
【請求項１】
発電パネルのフレーム枠を架台に固定する為の固定金具であって、固定時に前記固定金具を挟んで隣接する前記発電パネル同士と前記架台とを電気的に接続可能な発電パネル用の固定金具において、
前記架台に設けられた溝部に配置される下部固定金具と、前記フレーム枠の係合端部を上方から前記架台に押圧して固定する上部固定金具と、前記下部固定金具と前記上部固定金具とを締結する締結ボルトとを備え、
前記下部固定金具は、前記締結ボルトの締結動作に伴って上方に移動して前記架台の前記溝部の上壁部の下面を上方に押圧することで前記架台と接触する架台接触部と、前記フレーム枠の係合端部の側面に接触し且つ前記締結ボルトの締結動作に伴って上方にスライドすることで前記フレーム枠の表面を傷付けて前記フレーム枠と電気的に接続状態となるフレーム枠接触部とを備えたことを特徴する発電パネル用の固定金具。
【請求項２】
前記フレーム枠接触部は、前記フレーム枠の係合端部の側面に対して鋭角的に接触する接触角部を有していることを特徴とする請求項１に記載の発電パネル用の固定金具。
【発明の詳細な説明】
【技術分野】
【０００１】
本発明は発電パネル用の固定金具に関し、特に発電パネルを架台に固定する際に発電パネルと架台とを電気的に導通させるものに関する。
【背景技術】
【０００２】
従来から、複数の発電パネルを傾斜した屋根上に並べて設置する場合、先ず、屋根上に架台を組立ててから、この架台上に複数の発電パネルを載置して固定金具を介して固定している。屋根の形状等にもよるが、架台は、例えば、屋根の縦方向（傾斜方向）へ延びる縦ラックを屋根の横方向（幅方向）に間隔をあけて複数組配設し、これら縦ラックの上に屋根の横方向へ延びる複数の横ラックを屋根の縦方向に間隔をあけて複数組配設した格子状の構造になっている。
【０００３】
ところで、上記の発電パネルは、漏れ電流対策としてアース接地を行う必要がある。発電パネルは、パネル本体と、このパネル本体の周囲を覆う金属製のフレーム枠等を有し、一般的に、発電パネルのフレーム枠を、予め導線等を介して地面に接続している架台と電気的に導通させることで、発電パネルのアース接地を行っている。このため、発電パネルを架台に固定すると共にフレーム枠を架台と電気的に導通させる固定金具が、種々の文献に開示されている。
【０００４】
例えば、特許文献１の太陽電池モジュールのアース取付構造及びアース固定金具において、太陽電池モジュールの端部を上方から横ラックの上壁部の上面に押圧する押え部材と、この押え部材の貫通孔に挿通されるボルトと、このボルトの先端部が螺合され且つ横ラックの溝部に配置されるアース固定金具とを備え、このアース固定金具は、ボルト受部が形成された本体部と、横ラックの溝部の上壁部の下面に接触する架台側立上り部と、溝部から上方に延びて太陽電池モジュールの端部の下側に接触するモジュール側立上り部とを備えた構造が開示されている。
【０００５】
上記の特許文献１において、太陽電池モジュールの固定時に、ボルトの締結動作に伴って、押え部材とアース固定金具とが互いに接近する方向に移動し、押え部材が太陽電池モジュールの端部を上方から横ラックに押圧し、アース固定金具の架台側立上り部は、その突出部が溝部の上壁部の下面に下方から突き刺さりながら接触し、アース固定金具のモジュール側立上り部は、その突出部が太陽電池モジュールの下面に下方から突き刺さりながら接触することで、太陽電池モジュールが横ラックと電気的に導通された状態になる。
【先行技術文献】
【特許文献】
【０００６】
【特許文献１】特許４６７９４０９号公報
【発明の概要】
【発明が解決しようとする課題】
【０００７】
しかし、上記の特許文献１のアース固定金具において、架台側立上り部及びモジュール側立上り部が架台及び太陽電池モジュールに対して下方の一方向のみから接触する構造であるので、アース固定金具のサイズや架台のサイズによっては、アース固定金具が、架台又は太陽電池モジュールの一方に先に接触し、架台又は太陽電池モジュールの他方には接触しない状態となる場合があり、アース接地不良が発生する虞れがある。
【０００８】
即ち、特許文献１のアース固定金具において、モジュール側立上り部は、架台側立上り部より溝部の上壁部の厚さ分だけ高くなるように設定されているが、モジュール側立上り部と架台側立上り部の高さの差が小さくなる（又は溝部の上壁部の厚みが増加する）と、架台側立上り部が架台に先に接触してしまい、また、モジュール側立上り部と架台側立上り部の高さの差が大きくなる（又は溝部の上壁部の厚みが減少する）と、モジュール側立上り部が太陽電池モジュールに先に接触してしまう。特に、架台側立上り部が架台に先に接触すると、太陽電池モジュールを横ラックに固定可能ではあるが、モジュール側立上り部と太陽電池モジュールの端部との接触が点接触となる虞があるので、十分に接触した状態にならずアース接地不良が起こる可能性が高い。
【０００９】
本発明の目的は、発電パネルを架台に固定する際に、発電パネルの固定と共に発電パネルのアース接地を確実に行える発電パネル用の固定金具を提供すること、等である。
【課題を解決するための手段】
【００１０】
請求項１の発電パネル用の固定金具は、発電パネルのフレーム枠を架台に固定する為の固定金具であって、固定時に前記固定金具を挟んで隣接する前記発電パネル同士と前記架台とを電気的に接続可能な発電パネル用の固定金具において、前記架台に設けられた溝部に配置される下部固定金具と、前記フレーム枠の係合端部を上方から前記架台に押圧して固定する上部固定金具と、前記下部固定金具と前記上部固定金具とを締結する締結ボルトとを備え、前記下部固定金具は、前記締結ボルトの締結動作に伴って上方に移動して前記架台の前記溝部の上壁部の下面を上方に押圧することで前記架台と接触する架台接触部と、前記フレーム枠の係合端部の側面に接触し且つ前記締結ボルトの締結動作に伴って上方にスライドすることで前記フレーム枠の表面を傷付けて前記フレーム枠と電気的に接続状態となるフレーム枠接触部とを備えたことを特徴としている。
【００１１】
請求項２の発電パネル用の固定金具は、請求項１の発明において、前記フレーム枠接触部は、前記フレーム枠の係合端部の側面に対して鋭角的に接触する接触角部を有していることを特徴としている。
【発明の効果】
【００１２】
請求項１の発明によれば、発電パネルを架台に固定する際に、下部固定金具の架台接触部が、締結ボルトの締結動作に伴って上方に移動して架台の溝部の上壁部の下面を上方に押圧することで架台と接触し、下部固定金具のフレーム枠接触部が、フレーム枠の係合端部の側面に接触し且つ締結ボルトの締結動作に伴って上方にスライドすることでフレーム枠の表面を傷付けてフレーム枠と電気的に接続状態となるので、下部固定金具を介して、発電パネルと架台とが電気的に導通した状態となる。
【００１３】
従って、下部固定金具は、発電パネルのフレーム枠へ側方から接触すると共に架台へ下方から接触する、つまり、下部固定金具の発電パネル及び架台への接触方向を異ならせることで、固定金具の発電パネル及び架台への接触方向が一方向のみの場合と比較して、固定金具や架台のサイズの制約を受けないので、発電パネルを架台に固定する際に架台と確実に電気的に接続した状態にでき、発電パネルを架台を介してアース接地することができる。
【００１４】
請求項２の発明によれば、フレーム枠接触部は、フレーム枠の係合端部の側面に対して鋭角的に接触する接触角部を有しているので、この接触角部によって、フレーム枠の表面を覆う表面保護被膜を確実に傷付けて剥がし、フレーム枠の導電性の有る部分を露出させることで、フレーム枠接触部をフレーム枠と確実に電気的に接続した状態とすることができる。
【図面の簡単な説明】
【００１５】
【図１】本発明の実施例に係る発電パネル用の固定金具と発電パネルと架台の平面図である。
【図２】発電パネル用の固定金具と発電パネルと架台の側面図である。
【図３】締結ボルトの締結動作前の発電パネル用の固定金具と発電パネルと架台の部分拡大側面図である。
【図４】締結ボルトの締結動作前の発電パネル用の固定金具と発電パネルと架台の部分拡大正面図である。
【図５】締結ボルトの締結動作後の発電パネル用の固定金具と発電パネルと架台の部分拡大側面図である。
【図６】締結ボルトの締結動作後の発電パネル用の固定金具と発電パネルと架台の部分拡大正面図である。
【図７】発電パネル用の固定金具の下部固定金具の斜視図である。
【図８】発電パネル用の固定金具の下部固定金具の平面図である。
【図９】発電パネル用の固定金具の下部固定金具の正面図である。
【図１０】発電パネル用の固定金具の下部固定金具の側面図である。
【図１１】第１例の変更形態に係る発電パネル用の固定金具の下部固定金具の平面図である。
【図１２】第２例の変更形態に係る発電パネル用の固定金具の下部固定金具の平面図である。
【発明を実施するための形態】
【００１６】
以下、本発明を実施するための形態について実施例に基づいて説明する。
【実施例】
【００１７】
先ず、各種建造物の屋上等に設置された架台５に複数の発電パネル１が設置された全体構造について簡単に説明する。
図１，図２に示すように、複数の発電パネル１は、例えば、複数行複数列（本実施例では２行１列のみ図示）のマトリックス状に並べられ、傾斜した屋根面Ｓ上に架台５を介して設置されている。尚、本実施例では、図１における上方を棟側として、下方を軒側として、上下方向を縦方向として、左右方向を横方向として説明し、図２における屋根面Ｓに直交する上方を上方とし、屋根面Ｓに直交する下方を下方として説明する。
【００１８】
図１〜図６に示すように、発電パネル１は、例えば１．３ｍ×０．７ｍ程度のサイズに構成された長方形状のパネル本体２と、このパネル本体２の周囲を覆うフレーム枠３等を有し、フレーム枠３は、１対の短辺フレームと１対の長辺フレームとから矩形枠状に構成され、１対の長辺フレームの下端部に、外方に突出した係合端部３ａが全長に亙って夫々形成されている。この係合端部３ａには、上方に開口された浅い溝状の係合溝３ｂが全長に亙って形成されている。フレーム枠３は、アルミニウム合金製のものであり、その表面には、表面保護被膜（例えば酸化被膜）が形成されている。
【００１９】
図１〜図６に示すように、架台５は、複数の発電パネル１を建造物の屋根上に取り付ける為のものであり、傾斜した屋根面Ｓ上に横方向の適当な複数箇所に縦向きに設置された複数（本実施例では２本のみ図示）の縦ラック６等から構成されている。縦ラック６は、薄鋼板製の条材であり、その表面に表面保護被膜が形成されている。各縦ラック６は、複数の屋根固定金具（図示略）を介して屋根面Ｓに固定されている。各縦ラック６は、予め導線等を介して地面に接続されることでアース接地されている。
【００２０】
縦ラック６は、正面視にて上方開放状の断面Ｃ字状に構成されたリップ溝型鋼からなる。即ち、縦ラック６は、平面視にて縦長の底壁部６ａと、この底壁部６ａの横方向両端部から略直角に上方に夫々延びる１対の側壁部６ｂと、この１対の側壁部６ｂの上端部から互いに接近する方向に夫々延びる１対の上壁部６ｃと、この１対の上壁部６ｃの対向する端部から底壁部６ａ側に向って湾曲された湾曲部６ｄとから一体形成されている。１対の湾曲部６ｄの間に挿通溝６ｅが全長に亙って形成され、これにより縦ラック６の内部に溝部７が形成されている。
【００２１】
次に、本発明の発電パネル用の固定金具１０について説明する。
図１〜図６に示すように、発電パネル用の固定金具１０は、発電パネル１のフレーム枠３を架台５に固定する為のものであって、固定時に固定金具１０を挟んで縦方向に隣接する発電パネル１同士と架台５とを電気的に接続可能なものである。以下の説明では、固定金具１０の具体的な構造を、図３〜図１０に基づいて説明する。
【００２２】
図３〜図１０に示すように、固定金具１０は、フレーム枠３の係合端部３ａを上方から架台５に押圧して固定する上部固定金具１１と、架台５に設けられた溝部７に配置される下部固定金具１２と、上部固定金具１１と下部固定金具１２とを締結する締結ボルト１３とを備えている。上部固定金具１１と下部固定金具１２は、夫々、板金をプレス成形することで一体的に形成されている。尚、上部固定金具１１や下部固定金具１２の板厚は、例えば２〜３ｍｍ程度である。
【００２３】
上部固定金具１１は、締結ボルト１３が上方から挿通する挿通孔が中央部に形成された平板状の天壁部１４と、この天壁部１４の縦方向の両端部から下方に直交状に延びる１対の側壁部１５とを備え、横方向から視た側面視にて扁平な逆Ｕ字形状に形成されている。１対の側壁部１５の下端部には、係合端部３ａの係合溝３ｂに係合して係合端部３ａを上方から押圧可能な押え部１６が夫々設けられている。押え部１６の板厚は、係合溝３ｂの溝幅の１／２程度である。
【００２４】
図７〜図１０に示すように、下部固定金具１２は、横方向から視た側面視にてＵ字形状の上部Ｕ形部２１と、この上部Ｕ形部２１の底部の左右両端部から下方に夫々延び且つ縦方向から視た正面視にてＵ字形状の１対の下部Ｕ形部２２と、１対の下部Ｕ形部２２の上部Ｕ形部２１側とは反対側の上端部に夫々設けられた１対の架台接触部２３と、上部Ｕ形部２１の上端部に設けられた１対のフレーム枠接触部２４とを備えている。
【００２５】
上部Ｕ形部２１は、平板状の上部底壁部２１ａと、この上部底壁部２１ａの前後両端部から上方に直交状に延びる１対の上部側壁部２１ｂとを備えている。上部底壁部２１ａの中央部には、バーリング加工によって下方に延びる筒状部２１ｃが形成され、この筒状部２１ｃの内側に締結ボルト１３の先端部分が螺合されるボルト孔２１ｄが形成されている。各上部側壁部２１ａの上端部には、フレーム枠接触部２４が夫々設けられている。
【００２６】
各下部Ｕ形部２２は、平板状の下部底壁部２２ａと、この下部底壁部２２ａの左右両端部から上方に直交状に延びる１対の下部側壁部２２ｂとを夫々備えている。１対の下部側壁部２２ｂのうちの一方（内側）の上端部に、上部Ｕ形部２１の上部底壁部２１ａが接続され、１対の下部側壁部２２ｂのうちの他方（外側）の上端部に、架台接触部２３が設けられている。
【００２７】
尚、上部Ｕ形部２１の横方向（左右方向）の長さは、縦ラック６の挿通溝６ｅの溝幅の１／２程度の長さに設定され、下部Ｕ形部２２の横方向の長さは、縦ラック６の１対の側壁部６ｂ間の長さより僅かに短く設定されているが、上部Ｕ形部２１が挿通溝６ｅを移動可能であり、下部Ｕ形部２２が１対の側壁部６ｂ間を回動規制状態で移動可能であれば、特にこれらのサイズに限定する必要はない。また、架台接触部２３の上端部とフレーム枠接触部２４の下端部との間の長さは、縦ラック６の上壁部６ｃの板厚の２〜３倍程度の長さが望ましい。
【００２８】
各架台接触部２３は、縦ラック６の長手方向と平行な縦方向（前後方向）に延びる細長の板状に夫々構成されている。各架台接触部２３は、下部Ｕ形部２２の縦方向の長さ（板幅）の１．４倍程度の長さを有するが、特にこのサイズに限定する必要はなく、下部Ｕ形部２２の縦方向の長さと同じ長さであっても良く、適宜変更可能である。
【００２９】
１対の架台接触部２３は、固定金具１０を架台５に装着した状態では、架台５（縦ラック６）の溝部７の内部に配置される。１対の架台接触部２３は、締結ボルト１３の締結動作に伴って上方に移動して架台５（縦ラック６）の溝部７の１対の上壁部６ｃの下面を上方に押圧することで架台５と接触する。このとき、縦ラック６の内部は、表面保護被膜が形成されていないので、架台接触部２３は縦ラック６と電気的に接続した状態となる。
【００３０】
各フレーム枠接触部２４は、フレーム枠３の係合端部３ａと平行な横方向（左右方向）に延び且つ平面視にて外側程フレーム枠３に向かうように緩やかにカーブする湾曲状の細長い板状に夫々構成されている。各フレーム枠接触部２４は、上部Ｕ形部２１の横方向の長さ（板幅）の３倍程度の長さを有するが、特にこのサイズに限定する必要はなく、適宜変更可能である。
【００３１】
各フレーム枠接触部２４は、その両端部にフレーム枠３の係合端部３ａの側面に対して鋭角的に接触する１対の接触角部２４ａを有している。各接触角部２４ａの先端は、発電パネル１を固定する際にフレーム枠３の係合端部３ａの側面に線接触する。具体的に、フレーム枠３の係合端部３ａの側面と接触角部２４ａとの間の角度αは、鋭角となるように、例えば約２度〜１０度の範囲内で設定されるのが望ましい（図８参照）。
【００３２】
フレーム枠接触部２４は、固定金具１０を架台５に装着した状態では、架台５（縦ラック６）の溝部７の上側近傍部に縦ラック６の挿通溝６ｅを跨ぐように配置される。フレーム枠接触部２４の１対の接触角部２４ａの先端は、フレーム枠３の係合端部３ａの側面に夫々線接触し且つ締結ボルト１３の締結動作に伴って上方にスライドすることでフレーム枠３の表面を傷付けてフレーム枠３と電気的に接続状態となる。
【００３３】
次に、本発明の発電パネル用の固定金具１０の作用及び効果について説明する。
本発明の固定金具１０を介して、図１に示すように、縦方向に隣接する発電パネル１Ａ，１Ｂ同士を縦ラック６に固定すると共にアース接地する場合には、先ずは、屋根面Ｓに固定された縦ラック６の溝部７の棟側端部から締結ボルト１３を緩めた状態の固定金具１０を挿入する。
【００３４】
次に、固定金具１０を縦ラック６の溝部７に沿って軒側に移動させ、先に縦ラック６に固定されている軒側の発電パネル１Ａの棟側の係合端部３ａの側面に、下部固定金具１２の軒側のフレーム枠接触部２４を当接させ、上部固定金具１１の軒側の押え部１６を、軒側の発電パネル１Ａの棟側の係合端部３ａの係合溝３ｂに係合させる。
【００３５】
次に、図３，図４に示すように、棟側の発電パネル１Ｂを縦ラック６に載置し、棟側の発電パネル１Ｂの軒側の係合端部３ａの側面を、下部固定金具１２の棟側のフレーム枠接触部２４に当接させ、棟側の発電パネル１Ｂの軒側の係合端部３ａの係合溝３ｂに、上部固定金具１１の軒側の押え部１６を係合させる。このとき、棟側の発電パネル１Ｂの自重によって、軒側及び棟側の１対のフレーム枠接触部２４は弾性変形されて、軒側及び棟側の発電パネル１Ａ，１Ｂの係合端部３ａの側面に夫々押圧された状態になる。
【００３６】
次に、図５，図６に示すように、締結ボルト１３の締結動作を行うことで、上部固定金具１１と下部固定金具１２とを互いに接近する方向に移動させ、上部固定金具１１の１対の押え部１６が軒側及び棟側の発電パネル１Ａ，１Ｂの係合端部３ａを下方に縦ラック６の上面に押圧し、下部固定金具１２の１対の架台接触部２３が縦ラック６の１対の上壁部６ｃの下面を上方に押圧することで、軒側及び棟側の発電パネル１Ａ，１Ｂを縦ラック６に固定する。
【００３７】
この締結ボルト１３の締結動作時に、下部固定金具１２の１対のフレーム枠接触部２４は上方にスライドされ、各フレーム枠接触部２４の１対の接触角部２４ａの先端が軒側及び棟側発電パネル１Ａ，１Ｂの係合端部３ａの側面を傷付けながら導電性の有る部分を露出させることで、最終的に締結動作が終了した時点で、下部固定金具１２とフレーム枠３とを電気的に接続した状態にする。
【００３８】
以上説明したように、発電パネル１を架台５に固定する際に、下部固定金具１２の架台接触部２３が、締結ボルト１３の締結動作に伴って上方に移動して架台５の溝部７の上壁部６ｃの下面を上方に押圧することで架台５と接触し、下部固定金具１２のフレーム枠接触部２４が、フレーム枠３の係合端部３ａの側面に接触し且つ締結ボルト１３の締結動作に伴って上方にスライドすることでフレーム枠３の表面を傷付けてフレーム枠３と電気的に接続状態となるので、下部固定金具１２を介して、発電パネル１と架台５とが電気的に導通した状態となる。
【００３９】
従って、下部固定金具１２は、発電パネル１のフレーム枠３へ側方から接触すると共に架台５へ下方から接触する、つまり、下部固定金具１２の発電パネル１及び架台５への接触方向を異ならせることで、固定金具の発電パネル１及び架台５への接触方向が一方向のみの場合と比較して、固定金具や架台のサイズの制約を受けないので、発電パネル１を架台５に固定する際に架台５と確実に電気的に接続した状態にでき、発電パネル１を架台５を介してアース接地することができる。
【００４０】
また、フレーム枠接触部２４は、フレーム枠３の係合端部３ａの側面に対して鋭角的に接触する接触角部２４ａを有しているので、この接触角部２４ａによって、フレーム枠３の表面を覆う表面保護被膜を確実に傷付けて剥がし、フレーム枠３の導電性の有る部分を露出させることで、フレーム枠接触部２４をフレーム枠３と確実に電気的に接続状態とすることができる。
【００４１】
次に、前記実施例を部分的に変更した例について説明する。
［１］前記フレーム枠接触部２４の１対の接触角部２４ａに代えて、図１１に示すように、下部固定金具１２Ａにおいて、直線状のフレーム枠接触部２４Ａの両端部に、フレーム枠３側に屈曲し且つフレーム枠３の係合端部３ａの側面に対して鋭角的に接触するくの字形状の１対の接触角部２４Ａａを形成した構造であっても良い。
【００４２】
［２］前記フレーム枠接触部２４の１対の接触角部２４ａに代えて、図１２に示すように、下部固定金具１２Ｂにおいて、直線状のフレーム枠接触部２４Ｂの両端部に、フレーム枠３側に突出し且つフレーム枠３の係合端部３ａの側面に対して鋭角的に接触する突起部を有する１対の接触角部２４Ｂａを形成した構造であっても良い。尚、各接触角部２４Ｂａの突起部の数は、１つに限定する必要はなく、２以上の複数であっても良く、フレーム枠接触部２４Ｂの中央部に突起部を設けても良い。
【００４３】
［３］前記実施例において、架台接触部２３の架台５（縦ラック６の上壁部６ｃの下面）に直接接触する上端面は平坦に構成されているが、特にこの構造に限定する必要はなく、架台接触部２３の上端面に１又は複数の突起部を設けた構造であっても良い。この構造によれば、縦ラック６の内側に表面保護被膜が形成されている場合には、架台接触部２３の突起部が絶縁保護被膜を突き破ることができ、架台接触部２３を縦ラック６に対して確実に電気的に接続した状態とすることができる。
【００４４】
［４］その他、当業者であれば、本発明の趣旨を逸脱することなく、前記実施例に種々の変更を付加した形態で実施可能であり、本発明はそのような変更形態を包含するものである。
【符号の説明】
【００４５】
１                    発電パネル
３                    フレーム枠
３ａ                  係合端部
５                    架台
７                    溝部
１０                  固定金具
１１                  上部固定金具
１２，１２Ａ，１２Ｂ  下部固定金具
１３                  締結ボルト
２３                  架台接触部
２４，２４Ａ，２４Ｂ  フレーム枠接触部
２４ａ，２４Ａａ，２４Ｂａ  接触角部
【図１】
2016098595.tif 000003
【図２】
2016098595.tif 000004
【図３】
2016098595.tif 000005
【図４】
2016098595.tif 000006
【図５】
2016098595.tif 000007
【図６】
2016098595.tif 000008
【図７】
2016098595.tif 000009
【図８】
2016098595.tif 000010
【図９】
2016098595.tif 000011
【図１０】
2016098595.tif 000012
【図１１】
2016098595.tif 000013
【図１２】
2016098595.tif 000014